(57)【要約】【課題】  キャビネット内にフィルターをスムーズにセットすることが可能な空気調節装置の提供を目的とする。【解決手段】  キャビネット１に形成された吸込口２と、吸込口２から吸込んだ空気中の塵埃を除去する集塵フィルター４と、集塵フィルター４を構成する第一フィルター１０及び第二フィルター１１をキャビネット１内でスライド可能に保持する枠体１５，１６とを備えた空気調節装置であって、集塵フィルター４取り外しの際に、枠体１５，１６をスライドさせてキャビネット１の外部に突出させる構成とする。【選択図】        図１１
2010107112.tif 000002
【特許請求の範囲】
【請求項１】
キャビネットに形成された吸込口と、前記吸込口から吸込んだ空気中の塵埃を除去する集塵フィルターと、前記集塵フィルターを前記キャビネット内でスライド可能に保持する枠体とを備え、前記集塵フィルターの着脱時に、前記枠体をスライドさせてキャビネットの外部に突出させることを特徴とする空気調節装置。
【請求項２】
前記キャビネットの外部に突出する前記枠体の先端部に、前記集塵フィルターの挿入口が形成され、前記挿入口から集塵フィルターを挿入して枠体内に収容することを特徴とする請求項１記載の空気調節装置。
【請求項３】
前記枠体が、キャビネットの前方に突出することを特徴とする請求項１又は２記載の空気調節装置。
【請求項４】
前記キャビネット内において、室内熱交換器の前方に送風ファンが設置され、前記枠体は、前記室内熱交換器の上方位置から送風ファンを越えてキャビネットの前方に突出することを特徴とする請求項３記載の空気調節装置。
【請求項５】
前記集塵フィルターが第一フィルター及び第二フィルターから構成され、前記第一フィルター及び第二フィルターが前記キャビネット内において吸込口に対して並列に設置され、前記第一フィルター及び第二フィルターがそれぞれ第一枠体及び第二枠体に収容されたことを特徴とする請求項１〜４のいずれかに記載の空気調節装置。
【請求項６】
空気調節装置の運転時に、前記第一枠体及び第二枠体を前記吸込口に対して並列に支持するとともに、前記集塵フィルターの着脱時に、前記各枠体をスライド移動可能とするガイドが設けられたことを特徴とする請求項５記載の空気調節装置。
【請求項７】
前記第一フィルター及び第二フィルターの間に、前記両フィルターに付着した塵埃を除去する除塵部が設置され、前記両フィルターに対して平行に、かつ前記除塵部内を通過するフィルターの搬送ラインが設けられ、前記両フィルターのうちいずれか一方を選択的に前記搬送ラインまで移動させる平行移動機構と、前記搬送ライン上に位置する一方のフィルターを、前記除塵部内を通過して他方のフィルター側まで往復移動させるフィルター搬送機構とが設けられ、前記平行移動機構が、前記ガイドに支持される枠体の下方に設置され、集塵フィルター清掃時に、前記平行移動機構が、前記第一枠体及び第二枠体のうちいずれか一方に当接して押し上げることにより、該枠体ごと一方のフィルターを搬送ラインまで移動させることを特徴とする請求項６記載の空気調節装置。
【請求項８】
前記第一フィルター及び第二フィルターが平板状に形成されたことを特徴とする請求項７記載の空気調節装置。
【請求項９】
前記一方のフィルターが搬送ラインを往復移動するときに、他方のフィルターの枠体を搬送ラインのガイドとして利用することを特徴とする請求項８記載の空気調節装置。
【発明の詳細な説明】
【技術分野】
【０００１】
本発明は、空気中の塵埃を除去する集塵フィルターを備えた空気調節装置に関するものである。
【背景技術】
【０００２】
従来、空気調和機、加湿機、除湿機、空気清浄機、暖房機等の空気調節装置には、空気中の塵埃を除去するための集塵フィルターが搭載されている。集塵フィルターはメンテナンス等により、空気調節装置から取り外す場合がある。この場合、例えば、特許文献１に記載されているように、前面及び天面に形成された吸込口と、前面パネルを上方に引き上げる操作に連動してフィルター保持手段の一部を構成するフィルターガイドを備え、そのフィルターガイドが前方を向くように回動してフィルターを挿入する構成の空気調和機が知られている。
【特許文献１】特開２００７−９３１４７号公報
【発明の開示】
【発明が解決しようとする課題】
【０００３】
ところで、メッシュフィルターに代表される集塵フィルターは、柔軟性を有するものが多く、また、成形時に反りや捩じれが生じやすい。このような集塵フィルターをフィルターガイドに沿って直接キャビネット内に押し入れようとすると、集塵フィルターがフィルターガイドに引っ掛かって作業をスムーズに行うことができない場合があった。
【０００４】
本発明は、上記に鑑み、キャビネット内に収容されたフィルターの出し入れ作業をスムーズに行うことができる空気調節装置の提供を目的とする。
【課題を解決するための手段】
【０００５】
上記課題を解決するために、本発明に係る空気調節装置は、キャビネットに形成された吸込口と、前記吸込口から吸込んだ空気中の塵埃を除去する集塵フィルターと、前記集塵フィルターを前記キャビネット内でスライド可能に保持する枠体とを備え、前記集塵フィルターの着脱時に、前記枠体をスライドさせてキャビネットの外部に突出させることを特徴とする。
【０００６】
上記構成によれば、集塵フィルターを保持する枠体がキャビネットの外部に突出するため、集塵フィルターの取り外しが容易であるとともに、目視によって集塵フィルターを枠体にセットすることが可能となる。また、剛性の高い枠体に集塵フィルターを固定保持した状態で、枠体をキャビネット内に収容することにより、スムーズにキャビネット内にフィルターをセットすることができる。
【０００７】
集塵フィルターを枠体に保持する方法については、集塵フィルターを枠体に固定した状態で保持できる方法であれば特に限定されず、例えば、集塵フィルターを枠体にはめ込んで固定することが可能であるが、集塵フィルターを枠体内に収容するようにすれば、集塵フィルターを確実に固定できる点で好ましい。集塵フィルターを枠体内に収容するためには、キャビネットの外部に突出する前記枠体の先端部に、集塵フィルターを枠体内に挿入する挿入口を形成し、この挿入口から集塵フィルターを挿入して枠体内に収容することができる。
【０００８】
これにより、スムーズにフィルターの出し入れ作業を行うことが可能となる。キャビネット外部に突出する枠体の長さは、枠体が突出する方向の枠体長さの１／３以上が好ましく、１／２以上がより好ましい。これにより、作業者に近い位置で、目視により集塵フィルターの出し入れ作業を行うことができる。
【０００９】
枠体は、キャビネットの前方に突出する構成とするのが作業性の面で好ましい。この場合、キャビネット内において、室内熱交換器の前方に送風ファンが設置された構造の空気調節装置であっても、枠体が室内熱交換器の上方位置から送風ファンを越えてキャビネットの前方に突出するようにすることで、キャビネットの前方で、スムーズに集塵フィルターの出し入れを行うことができる。
【００１０】
また、集塵フィルターは１枚であってもよいし、第一フィルター及び第二フィルターの２枚から構成することも可能であり、この場合、第一フィルター及び第二フィルターをキャビネット内において吸込口に対して並列に設置し、第一フィルター及び第二フィルターをそれぞれ第一枠体及び第二枠体に収容すればよい。これにより、集塵フィルターの取扱性を高めることが可能となる。
【００１１】
この場合、各枠体をキャビネット外部に突出可能とするには、空気調節装置の運転時に、枠体及び第二枠体を前記吸込口に対して並列に支持するとともに、前記集塵フィルターの着脱時に、各枠体をスライド移動可能とするガイドを設ければよい。
【００１２】
さらに、上記構成において、枠体をフィルター清掃装置の構成部材として利用することも可能である。すなわち、フィルター清掃装置として、枠体に保持された第一フィルター及び第二フィルターの両フィルターの間に、フィルターに付着した塵埃を除去する除塵部を設置し、両フィルター（第一フィルターおよび第二フィルター）に対して平行に、かつ除塵部内を通過するフィルターの搬送ラインを設け、両フィルターのうちいずれか一方を選択的に搬送ラインまで移動させる平行移動機構と、搬送ライン上に位置する一方のフィルターを、除塵部内を通過して他方のフィルター側まで往復移動させるフィルター搬送機構とを設け、平行移動機構を、ガイドに支持される枠体の下方に設置し、集塵フィルター清掃時に、平行移動機構を、第一枠体及び第二枠体のうちいずれか一方に当接して押し上げることにより、該枠体ごと両フィルターのうちいずれか一方を搬送ラインまで移動させることができる。
【００１３】
上記構成によれば、平行移動機構によって第一フィルター及び第二フィルターのいずれか一方のフィルターを枠体ごと平行移動させることにより、第一フィルター及び第二フィルターの平行移動をスムーズに行うことができる。
【００１４】
また、第一フィルター及び第二フィルターを平板状に形成する場合には、第一フィルター及び第二フィルターのいずれか一方のフィルターが搬送ラインを往復移動するときに、他方のフィルターの枠体を搬送ラインのガイドとして利用することが可能となり、これにより、第一フィルター及び第二フィルターの往復移動をスムーズに行うことができ、より利便性の高い空気調節装置を得ることができる。
【００１５】
本発明に係る空気調節装置としては、具体的に、空気調和機、加湿機、除湿機、空気清浄機、暖房機等を挙げることができる。
【発明の効果】
【００１６】
以上のように、本発明に係る空気調節装置は、キャビネットに形成された吸込口と、前記吸込口から吸込んだ空気中の塵埃を除去する集塵フィルターと、前記集塵フィルターを前記キャビネット内でスライド可能に保持する枠体とを備え、前記集塵フィルター取り外しの際に、前記枠体をスライドさせてキャビネットの外部に突出させるようにしたため、キャビネット内に収容されたフィルターの出し入れ作業をスムーズに行うことが可能となる。
【発明を実施するための最良の形態】
【００１７】
以下、図面に基づいて本発明の実施の形態を説明する。本実施形態においては、空気調節装置として冷暖房機能をメイン機能とするセパレート型空気調和機の室内機を用いて説明する。
【００１８】
図１は、空気調和機の室内機の外観斜視図であり、図２は図１における室内機のキャビネットを外した状態のＡ−Ａ断面図である。図に示すように、本実施形態の室内機は、奥行きのある扁平なキャビネット１とされ、室内壁の上部天井近傍に設置可能とされている。
【００１９】
キャビネット１の天面は、そのほぼ全面が吸込口２とされ、その吸込口の裏面側に集塵フィルター４が配されている。キャビネット１の前面には、その上部を除いて吹出口３が形成されている。吹出口３には、空気の流れの向きを上下方向に変えるルーバー９が揺動自在に取り付けられている。このルーバー９は、冷暖房気流の送風をＯＦＦしたときには、吹出口３を閉じる開閉パネルの役割も有している。
【００２０】
吹出口３の上部には、メンテナンス時に集塵フィルター４を着脱自在に引出すための横長の引出口７、７が形成される（図１０及び図１１参照）。各引出口７には、適宜、保護カバー８が開閉回動自在に設けられている。集塵フィルター４は、後述する枠体１５，１６と共に引出口７から引き出し可能となっている。
【００２１】
キャビネット１の内部には、吸込口２から吹出口３に至る通風路が形成され、この通風路には吸込口２側を上流側として、集塵フィルター４、室内熱交換器５、送風ファン６がこの順に配置される。送風ファン６は、回転軸方向をキャビネットの左右方向とするクロスフローファンであって、吹出口３の近傍に配置される。室内熱交換器５は、吸込口２の下方であって、送風ファン６の後側に配置される。
【００２２】
室内熱交換器５は、通風路の上流側に配置された第一熱交換器５ａと、その下流側に配された第二熱交換器５ｂとを備え、両熱交換器が接続されて再熱除湿可能な構成となっている。
【００２３】
第一熱交換器５ａは、吸込口２の下方において、キャビネット天面の吸込口２と対向する程度に大きな一枚の平板状に形成されている。具体的には、第一熱交換器５ａは、微細な通路を有する扁平な冷媒管を平行に多数配列され、その間にコルゲート状のフィンが配設されてなるアルミニウム製のパラレルフロー型の熱交換器から構成され、全体として板状でコンパクトな形状であっても熱交換効率が良好となっている。この第一熱交換器５ａは、例えば、冷却除湿時に蒸発器として機能する。そして、第一熱交換器５ａは、冷却除湿時に付着した水滴が吹出口３側に流れるのを防止するため、前方を上側にして前後方向で傾斜して配置されている。
【００２４】
一方、第二熱交換器５ｂは、平行に配列された多数の伝熱フィンを貫通する冷媒管が蛇行状に配列してなるフィンアンドチューブ型の熱交換器から構成されている。第二熱交換器５ｂは、第一熱交換器５ａの前部下方位置で、前方を上側にして前後方向に傾斜して配置され、第一熱交換器５ａで発生した水滴が吹出口３から室内側へ放出されるのを阻止できるようになっている。
【００２５】
なお、第一熱交換器５ａはパラレルフロー型の熱交換器とし、第二熱交換器５ｂはフィンアンドチューブ型の熱交換器としたが、これに限るものではない。また、室内熱交換器５は、複数の熱交換器から構成する以外に単体の熱交換器から構成してもよいことは勿論である。
【００２６】
また、本実施形態では、メンテナンス時に集塵フィルター４を取り外すことができる以外に、キャビネット内部で集塵フィルター４を清掃することができるフィルター清掃装置２０が設けられている。
【００２７】
図３はフィルター清掃装置を上方からみた斜視図、図４はフィルター清掃装置を下方からみた斜視図である。図５はフィルター清掃装置における第一フィルターの使用状態（同図（ａ））から搬送ライン上に移動させ（同図（ｂ））、除塵部へ搬送している状態（同図（ｃ））を示している。図６は同じくフィルター清掃装置における第二フィルターの使用状態（同図（ａ））から、搬送ライン上に移動させ（同図（ｂ））、除塵部へ搬送している状態（同図（ｃ））を示している。また、図７はフィルターを上からみた斜視図、図８は図７のＢ−Ｂ断面図、図９は図７のＣ−Ｃ断面図である。
【００２８】
また、図１０は集塵フィルターを枠体と共にキャビネットから前方へ引き出す途中の状態を示す断面図、図１１は同じく枠体からフィルターを引き出した状態を示す断面図である。
【００２９】
図３ないし図１１において、まず、集塵フィルターの構成を説明する。集塵フィルター４は、平板状で長方形に形成された同形の第一フィルター１０及び第二フィルター１１の２枚から構成される。第一フィルター１０及び第二フィルター１１は、吸込口２の下流側（裏面側）でほぼ水平な同一平面上で左右横並びに配置される。両フィルター１０，１１は、同一形態とされている。
【００３０】
各フィルター１０、１１は、いずれも矩形のメッシュフィルター部１２と、そのメッシュフィルター部１２の外周を囲むように支持する四角枠状の枠部１３とを備えている（図７参照）。メッシュフィルター部１２は、編み組織あるいは織り組織からなる合成樹脂製のフィルターの表裏面において、前記枠部１３の内側で前後左右方向に差し渡された格子状の補強部１４が設けられ、この補強部１４によってフィルターが補強されている。
【００３１】
第一フィルター１０及び第二フィルター１１の前端縁及び後端縁には、第一フィルター１０及び第二フィルター１１を左右方向に移動搬送するために、後述する駆動ギア４１に噛合可能なラック部４３が左右方向にわたって形成されている。このラック部４３は、図７及び図８に示すように、枠部の前後外側にコルゲート状に形成されている。
【００３２】
ラック部４３は、第一フィルター１０及び第二フィルター１１を表裏逆転させても使用可能なコルゲート形状に形成されている。また、ラック部４３の高さは、図８に示すように、枠部１３の厚み以下に設定されている。つまり、集塵フィルター４において、周囲の枠部１３の厚みが最も厚く形成されている。
【００３３】
ここで、枠部１３及び補強部１４の厚みは特に限定はないが、本実施形態においては、１．０ｍｍ〜１．５ｍｍ程度と比較的薄く形成され、さらに、枠部１３および補強部１４と、メッシュフィルター部１２との厚みの差も少なく、両者の間の段差部（枠部１３や補強部１４の隅）の塵埃が取り残されない形状とされている。また、枠部１３及び補強部１４は同一の合成樹脂により一体的に形成されている。そして、各集塵フィルター４は、表裏逆転させた状態でも枠体１５，１６に収容可能となっている。
【００３４】
前述のごとく、第一フィルター１０及び第二フィルター１１は、それぞれ第一枠体１５及び第二枠体１６に収容されている（図３参照）。第一枠体１５及び第二枠体１６は、それぞれ上枠部１５ａ，１６ａと下枠部１５ｂ，１６ｂとが一定の隙間をあけて対向し、その隙間に第一フィルター１０又は第二フィルター１１が挿入可能な扁平箱型形状とされている。枠体１５，１６のそれぞれの前面には、第一フィルター１０及び第二フィルター１１をそれぞれ挿入するための挿入口１８が形成されている。また、枠体１５，１６が互いに対向する面には、後述するように、第一フィルター１０又は第二フィルター１１が搬送ラインＬを移動するための側口１７が形成されている（図５参照）。
【００３５】
上枠部１５ａ，１６ａ及び下枠部１５ｂ，１６ｂには、周縁部を除いて格子状に区画された開口部１９が形成されており、この開口部１９により、第一フィルター１０及び第二フィルター１１のそれぞれにおける空気の流通が確保されている。枠体１５，１６は、一体成形したものを用いてもよいし、別部材として形成した上枠部１５ａ，１６ａと下枠部１５ｂ，１６ｂとを組み立てるようにしてもよい。また、枠体１５及び１６の前端部中央には、図３に示すように、第一フィルター１０及び第二フィルター１１の前端部を一部露出させるための切込部４８が形成されている。これにより、枠体１５，１６をキャビネット１の外部に突出させた状態で、切込部４８において露出する第一フィルター１０及び第二フィルター１１を摘んで容易に引き出すことできる。
【００３６】
枠体１５，１６の挿入口１８には、図１０に示すように、フィルター１０，１１の抜け落ち防止用のストッパー４５が取り付けられる。このストッパー４５は、細長い板状とされ、その長さ及び厚みはそれぞれフィルター１０，１１の左右方向幅及び厚みとほぼ同じとされている。そして、ストッパー４５は、枠体１５，１６にそれぞれ第一フィルター１０及び第二フィルター１１が収容された状態で、ストッパーの長さ方向が挿入口１８の左右方向に沿うようにして挿入口１８に挿入する。
【００３７】
ストッパー４５は、枠体１５，１６の前後方向への移動を規制するとともに、後述するようにフィルター清掃時にフィルター１０，１１がスムーズに往復移動するためのガイドとしても機能する。なお、ストッパー４５の幅は、ストッパー４５を挿入口１８に挿入した状態で枠体１５，１６からはみ出ないように調整される。
【００３８】
第一フィルター１０及び第二フィルター１１は、図５及び図６に示すように、空気調和機運転時（例えば、暖房運転時や冷房運転時）には、それぞれ枠体１５及び１６に収容された状態でガイド３７に載置され、この状態で、吸込口２から吸い込まれた空気中の塵埃が第一フィルター１０及び第二フィルター１１によって除去される。
【００３９】
第一枠体１５及び第二枠体１６は、２組のガイド３７，３７によってキャビネット前方にスライド可能に支持される。第一枠体１５は、図５において、除塵部２１の左側に配置された左側ガイド３７によって支持される。第二枠体１６は、同図において、除塵部２１の右側に配置された右側ガイド３７によって支持される。
【００４０】
各ガイド３７は、除塵部２１の長さ方向に沿って延びる断面Ｌ字形の一対のレール３７ａ，３７ｂから構成される。レール３７ａ，３７ｂは、左右方向に間隔をおいて配置される。レール３７ａは、図５において、左右方向で中央部（除塵部２１）に配置され、レール３７ｂは、左右方向で外側（キャビネット１の側面内側）に配置され、レール３７ａ及び３７ｂによって枠体１５及び１６の左右両端部が支持される。
【００４１】
さらに、前述のごとく、キャビネット１の前面のうち、ルーバ９の後方上部で、かつ、ガイド３７上に保持された第一フィルター１０及び第二フィルター１１の先方に、第一フィルター１０及び第二フィルター１１をそれぞれ引き出すための引出口７，７が形成される。各引出口７には、上下方向に開閉可能な保護カバー８が設けられる（図１及び図２参照）。
【００４２】
第一フィルター１０及び第二フィルター１１のメンテナンスや交換等の際には、保護カバー８の下部を手で引き上げて開放し、図１０に示すように、第一枠体１５及び第二枠体１６をガイド３７に沿って前方に引き出して、ストッパー４５を取り外す。これにより、枠体１５，１６は、前後方向長さの約１／２が引き出され、送風ファン６を越えてキャビネット１の前方に突出する。
【００４３】
なお、枠体１５及び１６を前方に引き出す際には、ラック−ピニオン等の公知の機構を採用することにより、自動的に行うようにしてもよい。さらに、その状態で、図１１に示すように、両枠体１５及び１６内から第一フィルター１０及び第二フィルター１１を抜き出すことにより、容易かつスムーズに両フィルター１０及び１１を取り出すことが可能となる。
【００４４】
逆に、第一フィルター１０及び第二フィルター１１をキャビネット１内にセットするときは、キャビネット１の前方に突出した第一枠体１５及び第二枠体１６の挿入口１８から、第一フィルター１０及び第二フィルター１１を挿入して各枠体内に収容に収容する。このとき、第一フィルター１０及び第二フィルター１１の状況を目視によって確認しながら枠体内に挿入することが可能となるため、第一フィルター１０及び第二フィルター１１をスムーズに各枠体１５，１６内に収容することができる。第一フィルター１０及び第二フィルター１１を各枠体１５，１６内に収容した後は、枠体１５，１６にストッパー４５を装着し、各枠体１５，１６をスライドさせてキャビネット１内に収容すればよい。
【００４５】
上記構成では、第一フィルター１０又は第二フィルター１１に多少の反りや捩じれがあり、挿入口１８から各フィルター１０，１１を押しいれる際に少々引っ掛かりがある場合でも、枠体１５，１６の開口部１９から直接各フィルター１０，１１を挟み持って枠体１５，１６内に引き入れることにより、容易に各フィルター１０，１１をそれぞれの枠体１５，１６に収容することができる。
【００４６】
さらに、本実施形態の空気調和機には、前述のごとく、第一フィルター１０及び第二フィルター１１を清掃するフィルター清掃装置２０が設けられている。
【００４７】
フィルター清掃装置２０は、図３及び図４に示すように、集塵フィルター４に付着した塵埃を除去する除塵部２１を備えている。除塵部２１は、細長いボックス状に形成され、長さ方向をキャビネット１の前後方向に合わせるようにしてキャビネット１の中央部に設置される。
【００４８】
除塵部２１の長さ方向一端側には吸気口２２が形成され、他端側には空気を吸引する吸引装置２３が接続されている。これにより、除塵部２１の長さ方向一端側から他端側に向けて空気流を発生させることが可能となる。除塵部２１内部には、両フィルター１０及び１１に付着した塵埃を掻き取る一対の清掃ブラシ２８が設置されている。
【００４９】
吸引装置２３は、室内熱交換器５の設置の妨げにならないよう、図４に示すように、キャビネット１内の左右方向一端部に設置され、吸引装置２３と除塵部２１との間は、ダクト２４によって接続されている。吸引装置２３によって集塵フィルター４から除去された塵埃は、集塵ボックス２５に溜められる。
【００５０】
集塵フィルター４を構成する第一フィルター１０及び第二フィルター１１は、図３のように、除塵部２１を挟んでその両側に配される。そして、図５（ａ）に示すように、第一フィルター１０及び第二フィルター１１に平行で、かつ除塵部２１内を通過する第一フィルター１０及び第二フィルター１１の搬送ラインＬが設定され、この搬送ラインＬが除塵部２１の両側面と交わる部分に、第一フィルター１０及び第二フィルター１１を除塵部内部に案内するための共通の開口２６，２６が形成される。
【００５１】
開口２６と、第一フィルター１０及び第二フィルター１１との接触面にはゴム等からなる弾性部材２７が配置されており、集塵フィルター清掃時において、吸引装置２３を稼働したときに、開口２６の隙間を塞いで主に吸気口２２から空気を取り入れるようにし、除塵部２１の長さ方向一端側から他端側に向かう空気流を効率よく発生させるようにしている。
【００５２】
除塵部２１の内部には一対の清掃ブラシ２８、２８が設置されている。清掃ブラシ２８は、円筒状の本体と、本体の周囲に設けられた植毛部とを備えており、本体が回転することにより、植毛部でフィルター面に付着した塵埃を掻き上げる構成とされている。除塵部２１は、長さ方向の中心線が直線状になるように形成されており、清掃ブラシ２８，２８は、除塵部２１の長さ方向に平行で、かつ、互いに対向するように配置されている。そして、清掃ブラシ２８，２８は、第一フィルター１０及び第二フィルター１１が、清掃ブラシ２８，２８の間を通過するように配される。
【００５３】
さらに、フィルター清掃装置２０は、図５及び図６に示すように、第一フィルター１０及び第二フィルター１１を搬送ラインＬまで平行移動させる平行移動機構３０と、搬送ラインＬ上にセットされた第一フィルター１０及び第二フィルター１１のうちの一方のフィルターを、除塵部２１内を通過して他方のフィルター側まで往復移動させるフィルター搬送機構４０とを備えている。
【００５４】
第一フィルター１０及び第二フィルター１１は、図５及び図６に示すように、第一枠体１５又は第二枠体１６ごと平行移動機構３０によって搬送ラインＬまで移動する。平行移動機構３０は、第一リフト機構３１及び第二リフト機構３２から構成され、それぞれガイド３７に載置された状態の第一枠体１５及び第二枠体１６の下方に設置され、第一フィルター１０及び第二フィルター１１を枠体ごと別個に下方から搬送ラインＬまで押し上げる構成とされている。
【００５５】
具体的に、第一リフト機構３１及び第二リフト機構３２は、平行に配置された２本の駆動シャフト３３ａ及び従動シャフト３３ｂと、駆動シャフト３３ａ及び従動シャフト３３ｂそれぞれの両端部に取り付けられたカム３４，３４と、駆動シャフト３３ａを回転させるモータ３５と、駆動シャフト３３ａにリンクして従動シャフト３３ｂを回転させる平行リンク機構３６とを備えている。
【００５６】
第一リフト機構３１及び第二リフト機構３２は、上述のごとく、それぞれ４つのカム３４を備えており、モータ３５によってこれらのカム３４が同期して回転することで、枠体１５，１６が上下に平行移動可能とされる。具体的に、カム３４（の最大径部分）が横向きのときは枠体１５，１６に接触せず、カム３４が縦向きのときは、枠体１５，１６をガイド３７から持ち上げて搬送ラインＬまで移動させる。
【００５７】
なお、各カム３４（の最大径部分）の先端には、ローラ３８が回転自在に取り付けられている。したがって、カム３４の回転に伴って、カム３４と枠体１５，１６との間に不要な摩擦を生じることがなく、枠体１５，１６ごと第一フィルター１０又は第二フィルター１１をスムーズに上下に平行移動させることができる。
【００５８】
フィルター搬送機構４０は、搬送ラインＬを挟んで平行移動機構３０とは反対側、すなわち、搬送ラインＬの上方で、かつ除塵部２１の両側に一組ずつ設置される。各フィルター搬送機構４０は、一対の駆動ギア４１，４１から構成される。一対の駆動ギア４１，４１は、回転軸４２に対し、間隔をあけて取り付けられている。回転軸４２は、除塵部２１の近傍で除塵部２１の長さ方向に沿って設置され、その一端に駆動源としてモータ４４が接続され、後述する制御部によりモータ４４の駆動が制御される。
【００５９】
図７に示すように、一対の駆動ギア４１，４１の間隔は、第一フィルター１０の前端縁１０ａから後端縁１０ｂまでの距離Ｘと同じとされる。第一フィルター１０の前端縁１０ａ及び後端縁１０ｂには、駆動ギア４１と噛合可能なラック部４３がそれぞれ形成されている。なお、第二フィルター１１の構成は、第一フィルター１０と同じとされている。
【００６０】
第一フィルター１０及び第二フィルター１１のうちの一方が平行移動機構３０によって搬送ラインＬ上まで移動したときに、一対の駆動ギア４１，４１とラック部４３とが係合し、駆動ギア４１，４１が回転することにより、一方のフィルターが他方のフィルター側に向かって搬送される。
【００６１】
なお、枠体１５，１６の駆動ギア４１に対応する部分は切り欠いて噛合穴４９が形成され、この噛合穴４９によって露出するラック部４３と駆動ギア４１とが直接係合可能とされている。また、第一枠体１５及び第二枠体１６のそれぞれにおいて、除塵部２１に対向する側面には、前述のごとく、側口１７が形成され、この側口１７を通じて第一フィルター１０又は第二フィルター１１が搬送ラインＬ上を左右方向に移動可能とされている。
【００６２】
第一フィルター１０又は第二フィルター１１が搬送ラインＬを搬送されるときは、フィルター搬送機構４０は、一方のフィルター側に設置された組のみならず他方のフィルター側に設置された組も駆動する。これにより、フィルター全体を除塵部２１内に通過させることが可能となる。
【００６３】
上記構成において、空気調和機の運転を開始すると、フィルター清掃装置２０は、図５（ａ）に示すように、第一フィルター１０及び第二フィルター１１がガイド３７に載置された状態で、キャビネット１の吸込口２から空気が吸い込まれ、第一フィルター１０及び第二フィルター１１の表面に塵埃が付着する。
【００６４】
キャビネット１内には、入力回路、ＣＰＵ、メモリ、出力回路を備えた制御部が設けられており、例えば、空気調和機の運転時間が所定時間に達したと判断した場合や、光センサ等の検出結果に基づいて第一フィルター１０及び第二フィルター１１の表面が汚れていると判断した場合に、吸引装置２３、平行移動機構３０、フィルター搬送機構４０等の稼働を制御して集塵フィルターの清掃が行われる。
【００６５】
集塵フィルター清掃時には、制御部は、先ず、図５（ｂ）に示すように、第一リフト機構３１を稼働させ、第一フィルター１０を第一枠体１５ごとガイド３７から持ち上げ、搬送ラインＬまで上昇（平行移動）させ、フィルター搬送機構４０とラック部４３とを係合させる。その後、２組のフィルター搬送機構４０，４０を稼働させ、図５（ｃ）のように、第一フィルター１０を第二フィルター１１側に向けて搬送する。それと同時に、吸引装置２３を稼働させ、除塵部２１内に空気流を発生させるとともに、除塵部２１内部に設置された清掃ブラシ２８を回転させる。これにより、除塵部２１内に導入された第一フィルター１０に付着した塵埃を掻き上げ浮き上がらせ、空気流によって塵埃を吹き飛ばして除塵する。
【００６６】
第一フィルター１０は、第二枠体１６の上方に設置されたフィルター搬送機構４０によって第二枠体１６を搬送ラインＬのガイドとして利用している。すなわち、第二枠体１６の上枠部１６ａの上面を搬送ラインＬのガイドとして利用することで、第一フィルター１０は、その上面をスライド移動して第二フィルター１１と重合する位置（折返し位置）まで搬送される。制御部は、マイクロスイッチや、フィルター搬送機構４０の合計回転数等から、第一フィルター１０が折返し位置に到達したと判断したときに、フィルター搬送機構４０，４０を反対向きに回転させ、第一フィルター１０を第一枠体１５内に収容し終えた時点で、フィルター搬送機構４０，４０を停止させる。
【００６７】
その後、制御部は、第一リフト機構３１を下降させ、第一フィルター１０を第一枠体１５ごとガイド３７に載置し、カム３４が第一枠体１５から離れた時点で第一リフト機構３１を停止させる。以上の動作を第二フィルター１１についても同様に行い（図６（ａ）〜図６（ｃ）参照）、集塵フィルター清掃を終了する。
【００６８】
以上説明したように、本実施形態においては、第一フィルター１０及び第二フィルター１１をそれぞれ第一枠体１５及び第二枠体１６に収容して、前記両枠体１５及び１６をキャビネット１の外部までスライドさせて突出可能とすることで、第一フィルター１０及び第二フィルター１１をキャビネット１内にスムーズにセットすることが可能となる。
【００６９】
さらに、上記両枠体１５及び１６をフィルター清掃装置２０に組み込むことによって、第一フィルター１０及び第二フィルター１１をスムーズに搬送ラインＬまで平行移動させることが可能となり、また、枠体１５，１６を搬送ラインＬのガイドとして利用することで、両フィルター１０及び１１のスムーズな往復移動が可能となるという優れた効果を奏する。
【００７０】
なお、本実施の形態では、集塵フィルター使用時（冷房運転時や暖房運転時などの空気調和機運転時）には、第一フィルター１０及び第二フィルター１１をガイド３７に載置（同一平面上に配置）し、フィルター清掃時に両フィルター１０及び１１を交互に搬送ラインＬまで平行移動させているが、これに限らず、例えば、集塵フィルター使用時に第一フィルター１０及び第二フィルター１１の両方を搬送ラインＬ上に配置（同一平面上に配置）し、集塵フィルター清掃時に、一方のフィルターを下降させてガイド３７上に載置して搬送ラインＬから外れた位置で待機させるようにすることも可能である。
【００７１】
あるいは、集塵フィルター使用時に第一フィルター１０と第二フィルター１１のいずれか一方を搬送ラインＬ上に配置し、他方をフィルターをガイド３７上に載置しておいてもよい。この場合、第一フィルター１０と第二フィルター１１とは、集塵フィルター使用時には同一平面上に設置されない。よって、集塵フィルター清掃時には、搬送ラインＬ上に配置されたフィルターから清掃を行い、つぎに、ガイド３７上に載置されたもう一方のフィルターを搬送ラインＬに配置して清掃させることも可能である。また、このとき、清掃前の状態に戻さず、後から清掃されたフィルターを搬送ラインＬ上に配置する（言い換えれば、清掃前に搬送ラインＬ上にあったフィルターとガイド３７上にあったフィルターとが、清掃後に、配置箇所が入れ替わっている）ようにしてもよい。このようにすれば、フィルターの平行移動の回数を減らすことができるので、清掃時間の短縮や、省エネとすることができる。
【００７２】
なお、本発明は、上記実施形態に限定されるものではなく、本発明の範囲内で上記実施形態に多くの修正及び変更を加え得ることは勿論である。例えば、ストッパー４５を用いない構成であってもよい。
【図面の簡単な説明】
【００７３】
【図１】本発明の実施形態を示す空気調和機の室内機斜視図
【図２】図１における室内機のキャビネットを外した状態のA-A断面図
【図３】フィルター清掃装置の上方斜視図
【図４】フィルター清掃装置の下方斜視図
【図５】フィルター清掃装置の正面図で、（ａ）は集塵フィルター使用時の状態を、（ｂ）は第一フィルターを搬送ラインに移動させた状態を、（ｃ）は第一フィルター往復移動時の状態を、それぞれ示す。
【図６】フィルター清掃装置の正面図で、（ａ）は集塵フィルター使用時の状態を、（ｂ）は第二フィルターを搬送ラインに移動させた状態を、（ｃ）は第二フィルター往復移動時の状態を、それぞれ示す。
【図７】第一フィルターの斜視図
【図８】図７のB-B断面図
【図９】図７のC-C断面図
【図１０】図２において枠体を引き出した状態を示す断面図
【図１１】図１０において枠体からフィルターを引き出した状態を示す断面図
【符号の説明】
【００７４】
１        キャビネット
２        吸込口
３        吹出口
４        集塵フィルター
５        室内熱交換器
６        送風ファン
７        引出口
８        保護カバー
９        ルーバー
１０        第一フィルター
１１        第二フィルター
１２        メッシュフィルター部
１３        枠部
１４        補強部
１５        第一枠体
１６        第二枠体
１７        側口
１８        挿入口
１９        開口
２０        フィルター清掃装置
２１        除塵部
２２        吸気口
２３        吸引装置
２４        ダクト
２５        集塵ボックス
２６        開口
２７        弾性部材
２８        清掃ブラシ
３０        平行移動機構
３１        第一リフト機構
３２        第二リフト機構
３３        シャフト
３４        カム
３５        モータ
３６        リンク機構
３７        ガイド
４０        フィルター搬送機構
４１        駆動ギア
４２        回転軸
４３        ラック部
４４        モータ
【図１】
2010107112.tif 000003
【図２】
2010107112.tif 000004
【図３】
2010107112.tif 000005
【図４】
2010107112.tif 000006
【図５】
2010107112.tif 000007
【図６】
2010107112.tif 000008
【図７】
2010107112.tif 000009
【図８】
2010107112.tif 000010
【図９】
2010107112.tif 000011
【図１０】
2010107112.tif 000012
【図１１】
2010107112.tif 000013